Podtech/llm-jp-corpus-v4-ja_patent huggingface dataset:
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
筒内圧力変化抑制運転が可能な筒内圧力変化抑制気筒数可変エンジンの出力を第１電動機および伝達部材へ分配する差動機構と該伝達部材から駆動輪への動力伝達経路に設けられた第２電動機とを有する差動部と、前記動力伝達経路の一部を構成し自動変速機として機能する自動変速部とを備えた車両用駆動装置の制御装置であって、
前記差動機構に備えられ、該差動機構を差動状態とロック状態とに選択的に切換える差動状態切換装置と、
前記電動機のみを駆動力源とするモータ走行時には、前記差動状態切換装置により前記差動機構を前記差動状態とする切換制御手段と、
前記モータ走行時には、前記第１電動機の回転速度を制御して前記エンジンの回転速度を回転制御するハイブリッド制御手段と、
前記モータ走行時には、前記エンジンの一部の気筒乃至全気筒の筒内圧力変化抑制運転を実行する筒内圧力変化抑制状態制御手段と
を、含むことを特徴とする車両用駆動装置の制御装置。
【請求項２】
前記ハイブリッド制御手段は、前記モータ走行時であって前記エンジンが筒内圧力変化抑制運転中である時には、前記第１電動機の効率を考慮して該第１電動機を作動させるものである請求項１の車両用駆動装置の制御装置。
【手続補正２】
【補正対象書類名】明細書
【補正対象項目名】０００８
【補正方法】変更
【補正の内容】
【０００８】
すなわち、請求項１にかかる発明の要旨とするところは、筒内圧力変化抑制運転が可能な筒内圧力変化抑制気筒数可変エンジンの出力を第１電動機および伝達部材へ分配する差動機構とその伝達部材から駆動輪への動力伝達経路に設けられた第２電動機とを有する差動部と、前記動力伝達経路の一部を構成し自動変速機として機能する自動変速部とを備えた車両用駆動装置の制御装置であって、(a) 前記差動機構に備えられ、その差動機構を差動状態とロック状態とに選択的に切換える差動状態切換装置と、(b) 前記電動機のみを駆動力源とするモータ走行時には、前記差動状態切換装置により前記差動部を前記差動状態とする切換制御手段と、(c)前記モータ走行時には、前記第１電動機の回転速度を制御して前記エンジンの回転速度を回転制御するハイブリッド制御手段と、(d)前記モータ走行時には、前記エンジンの一部の気筒乃至全気筒の筒内圧力変化抑制運転を実行する筒内圧力変化抑制状態制御手段とを、含むことにある。
【手続補正３】
【補正対象書類名】明細書
【補正対象項目名】００１１
【補正方法】変更
【補正の内容】
【００１１】
また、前記モータ走行時には、前記第１電動機の回転速度を制御して前記エンジンの回転速度を零乃至略零となるように回転制御するハイブリッド制御手段により、前記モータ走行時には、ハイブリッド制御手段により前記第１電動機の回転速度を制御して例えばその第１電動機を逆方向に空転させて前記エンジンの回転速度が零乃至略零となるように回転制御されるので、作動停止状態とされているエンジンすなわち作動していないエンジンのポンプ損失所謂ポンピングロスの発生等が抑制されてエンジンの引き摺りが抑制され、燃費の向上が図れる。また、前記モータ走行時には、前記エンジンの一部の気筒乃至全気筒の筒内圧力変化抑制運転を実行する筒内圧力変化抑制状態制御手段により、モータ走行時に前記ハイブリッド制御手段により第１電動機回転速度ＮＭ１が制御されてエンジン回転速度が零乃至略零に維持させられなくともエンジンのポンピングロスが抑制されて燃費の向上が図れる。
【手続補正４】
【補正対象書類名】明細書
【補正対象項目名】００１２
【補正方法】変更
【補正の内容】
【００１２】
また、請求項２にかかる発明では、前記ハイブリッド制御手段は、前記モータ走行時であって前記エンジンが筒内圧力変化抑制運転中である時には、前記第１電動機の効率を考慮してその第１電動機を作動させるものである。このようにすれば、エンジンが筒内圧力変化抑制運転中である為にポンピングロスによるエンジンの引き摺りを考慮する必要がないので、ハイブリッド制御手段により第１電動機がその効率の可及的に良い運転域で作動させられて燃費の向上が図れる。言い換えれば、ハイブリッド制御手段により第１電動機の効率を考慮してその第１電動機が作動させられた結果エンジン回転速度が零乃至略零とされなくとも、前記エンジンが筒内圧力変化抑制運転（減筒運転或いは休筒運転）中である時は筒内圧力変化抑制気筒数可変エンジンの一部の気筒乃至全気筒が筒内圧力変化抑制状態とされてエンジンのポンピングロスが低減されるので、第１電動機が効率の良い運転域で作動させられることと合わせ燃費の向上が図れる。
【手続補正５】
【補正対象書類名】明細書
【補正対象項目名】００１３
【補正方法】変更
【補正の内容】
【００１３】
また、前記エンジンの始動の可能性が高いか否かを判定するエンジン始動可能性判定手段を更に含み、前記ハイブリッド制御手段は、前記モータ走行時であって前記エンジン始動可能性判定手段により前記エンジンの始動の可能性が高いと判定された場合には、前記第１電動機によりその第１電動機の効率を考慮してそのエンジンの始動のためにエンジン回転速度を予め上昇させるものである。このようにすれば、エンジンの始動性を向上させるためにエンジン回転速度が零乃至略零より予め引き上げられる場合には、ハイブリッド制御手段により第１電動機が効率の良い運転域で作動させられるので、燃費の向上が図れる。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
放送信号を受信し選局して受信信号を出力するチューナ部と、
前記チューナ部の前記受信信号を復調して映像音声信号を出力する復調部と、
前記映像音声信号を暗号化して暗号化映像音声信号を出力する暗号部と、
前記復調部からの映像音声信号又は前記暗号部からの前記暗号化映像音声信号を格納するバッファ部と、
前記映像音声信号を前記暗号部で暗号化する場合は、前記映像音声信号を前記暗号部で第１容量の第１ファイル毎に暗号化して、前記バッファ部の記憶領域に転送して格納し、前記映像音声信号を暗号化しない場合は、前記映像音声信号を前記第１容量よりも少ない第２容量の複数の第２ファイル毎に前記バッファ部の記憶領域に前記第２容量毎にそれぞれ連続して格納するべく制御する制御部とを具備することを特徴とする放送受信装置。
【請求項２】
ネットワークを介して外部の記録装置と通信を行う通信部と、
前記通信部が通信を行うネットワーク上の前記記録装置の一つを、前記復調部が出力する前記映像音声信号を記録する記録装置として登録する登録部とを更に有しており、
前記制御部は、前記バッファ部に格納された前記映像音声信号又は前記暗号化映像音声信号を、前記通信部を用いて、前記登録部が登録したネットワーク上の記録装置に記録するべく制御することを特徴とする請求項１記載の放送受信装置。
【請求項３】
前記復調部が復調した前記映像音声信号をＭＰＥＧデコードして、デコードされた信号を前記暗号部又は前記バッファ部に供給するＭＰＥＧデコード部を更に具備する請求項１記載の放送受信装置。
【請求項４】
前記制御部は、前記復調部が復調した前記映像音声信号を暗号化するかどうかの判断結果に応じたフラグ情報を前記映像音声信号に追加することを特徴とする請求項１記載の放送受信装置。
【請求項５】
前記制御部は、前記チューナ部が受信した放送信号がデジタル放送信号であるとき、前記映像音声信号を暗号化するべきものと判断することを特徴とする請求項１記載の放送受信装置。
【請求項６】
前記制御部は、前記チューナ部が受信した放送信号がデジタル放送信号、又は、コピー制御情報を含むアナログ放送信号であるとき、前記映像音声信号を暗号化するべきものと判断することを特徴とする請求項１記載の放送受信装置。
【請求項７】
前記制御部は、予めユーザにより設定された設定条件と、前記チューナ部が受信した放送信号の種類とに基づいて、前記映像音声信号を暗号化するべきかどうかを判断することを特徴とする請求項１記載の放送受信装置。
【請求項８】
放送信号を受信し選局して受信信号を出力し、
前記受信信号を復調して映像音声信号を出力し、
前記映像音声信号を暗号化して暗号化映像音声信号を出力し、
前記映像音声信号を暗号化する場合は、前記映像音声信号を第１容量の第１ファイル毎に暗号化して、記憶領域に転送して格納し、前記映像音声信号を暗号化しない場合は、前記映像音声信号を前記第１容量よりも少ない第２容量の複数の第２ファイル毎に記憶領域に前記第２容量毎にそれぞれ連続して格納するべく制御することを特徴とする放送受信方法。
【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
複数の番組を含む信号が入力される入力手段と、
前記入力手段に入力された信号から所定の番組を選局する選局手段と、
それぞれが選局機能を備えた複数の録画機器を接続可能とする接続手段と、
前記接続手段に接続された複数の録画機器から所定の録画機器を選択可能とする機器選択手段と、
前記機器選択手段で選択された録画機器に対して録画情報を設定可能とすることにより、前記選択された録画機器が前記録画情報に基づき自己の選局機能を用いて番組を選局し録画することを可能とする設定手段と、
前記録画機器に録画された番組及び前記選局手段で選局された番組を選択的に再生する信号処理手段とを具備することを特徴とする録画制御装置。
【請求項２】
前記設定手段は、
チャンネル及び日時を設定可能とする日時設定手段と、
前記日時設定手段で設定されたチャンネル及び日時を含む前記録画情報を作成する録画情報作成手段と、
前記録画情報作成手段で作成された録画情報を前記機器選択手段で選択された録画機器に送信して設定させる録画情報設定手段とを具備することを特徴とする請求項１記載の録画制御装置。
【請求項３】
前記録画情報作成手段は、
前記日時設定手段で設定されたチャンネル及び日時に対応した番組に関する属性情報を設定可能とする番組属性設定手段と、
前記機器選択手段で選択された録画機器に関する属性情報を設定可能とする機器属性設定手段とを具備し、
前記番組属性設定手段及び前記機器属性設定手段で設定された各属性情報を含む前記録画情報を作成することを特徴とする請求項２記載の録画制御装置。
【請求項４】
複数の番組を含む信号が入力される入力手段と、
前記入力手段に入力された信号から所定の番組を選局する選局手段と、
複数の録画機器を接続可能とする接続手段と、
前記接続手段に接続された複数の録画機器から所定の録画機器を選択可能とする機器選択手段と、
前記機器選択手段で選択された録画機器に対して録画情報を設定可能とすることにより、前記機器選択手段で選択された録画機器が前記選局手段で選局された番組を録画することを可能とする設定手段と、
前記録画機器に録画された番組及び前記選局手段で選局された番組を選択的に再生する信号処理手段とを具備することを特徴とする録画制御装置。
【請求項５】
それぞれが選局機能を備えた複数の録画機器から所定の録画機器を選択する第１の工程と、
前記第１の工程で選択された録画機器に対して録画情報を設定する第２の工程と、
前記第２の工程で設定された録画情報に基づいて、前記第１の工程で選択された録画機器が自己の選局機能を用いて番組を選局し録画する第３の工程とを具備することを特徴とする録画制御方法。
【請求項６】
前記第２の工程は、
番組情報を取得する工程と、
取得した番組情報に基づいて電子番組表を作成する工程と、
作成された電子番組表を表示する工程と、
表示された電子番組表から所定の番組を選択する工程と、
選択された番組を特定する情報を含む前記録画情報を作成する工程と、
作成された録画情報を前記第１の工程で選択された録画機器に送信して設定させる工程とを具備することを特徴とする請求項５記載の録画制御方法。
【請求項７】
前記第２の工程は、
チャンネル及び日時を設定する工程と、
設定されたチャンネル及び日時を含む前記録画情報を作成する工程と、
作成された録画情報を前記第１の工程で選択された録画機器に送信して設定させる工程とを具備することを特徴とする請求項５記載の録画制御方法。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
与えられたコンテンツ信号を暗号鍵で暗号化して暗号化コンテンツ信号を出力する暗号部と、
予め静的デバイス鍵と動的デバイス鍵とを記憶領域に記憶しておき、前記暗号鍵を前記静的デバイス鍵と前記動的デバイス鍵とで暗号化し、暗号化暗号鍵を出力する鍵暗号部と、
前記暗号部が暗号化した前記暗号化コンテンツ信号をネットワーク上の所定装置に記録し、前記鍵暗号部が出力した前記暗号化暗号鍵をネットワーク上の所定領域に記録するべく通信を行う通信部と、
ユーザの再生指示に応じて、前記所定領域から前記暗号化暗号鍵を前記通信部を介して読み出し、前記静的デバイス鍵及び前記動的デバイス鍵により前記暗号鍵へと復号する鍵復号部と、
前記所定装置から前記通信部を介して前記暗号化コンテンツ信号を読み出し、前記鍵復号部が復号した前記暗号鍵により前記コンテンツ信号へと復号する復号部と、
前記復号部が復号した前記コンテンツ信号を再生する再生部と、
前記暗号鍵を廃止する際に、前記記憶されている動的デバイス鍵を更新する鍵更新部とを具備することを特徴とする通信装置。
【請求項２】
前記鍵暗号部及び前記鍵復号部が設けられた回路基板が新しいものに交換された際に、以前の回路基板の前記静的デバイス鍵と前記動的デバイス鍵とを、新しい回路基板に復旧させる復旧部を更に有することを特徴とする請求項１記載の通信装置。
【請求項３】
前記復旧部は前記回路基板上に設けられ、以前の回路基板の前記静的デバイス鍵については、ユーザ又はサービスマンにより入力され、以前の回路基板の前記動的デバイス鍵については、前記通信部が前記ネットワーク上の所定領域に格納した前記動的デバイス鍵を前記復旧部が前記通信部及び前記ネットワークを介して取得して保存することで、以前の回路基板を復旧することを特徴とする請求項１記載の通信装置。
【請求項４】
前記コンテンツ信号を反復して記録するための前記ネットワーク上の所定装置を登録し、前記暗号化暗号鍵を反復して記録するための前記ネットワーク上の所定領域を登録する登録部を更に有しており、
前記復旧部は、前記登録部の登録に基づいて、以前の回路基板の前記動的デバイス鍵については、前記ネットワーク上の所定領域に格納されている以前の前記動的デバイス鍵を前記通信部及び前記ネットワークを介して取得して保存することで、以前の回路基板を復旧することを特徴とする請求項３記載の通信装置。
【請求項５】
前記鍵更新部は、前記コンテンツ信号がその後に移動や削除をした際に、前記ネットワーク上の前記暗号化コンテンツ信号を復号不能とすることで再生不能とするべく、前記記憶領域の動的デバイス鍵を新たな動的デバイス鍵に変更し、更に、現時点で再生可能な全ての暗号化コンテンツ信号に応じた暗号化暗号鍵を前記ネットワーク上の所定領域に記録することを特徴とする請求項３記載の通信装置。
【請求項６】
前記静的デバイス鍵と前記動的デバイス鍵とを記憶している前記記憶領域は、不揮発性メモリであることを特徴とする請求項１記載の通信装置。
【請求項７】
放送信号を受けて選局し選局信号を出力するチューナ部と、
前記チューナ部からの選局信号を復調して得られる映像音声信号を前記コンテンツ信号として、前記暗号部に供給する復調部とを更に有することを特徴とする請求項１記載の通信装置。
【請求項８】
前記復調部が出力した前記映像音声信号をＭＰＥＧデコードして得られた映像音声信号を前記コンテンツ信号として前記暗号部に供給する信号処理部を更に有することを特徴とする請求項７記載の通信装置。
【請求項９】
前記通信部は、前記ネットワーク上の前記所定装置及び前記所定領域を提供する装置と認証処理を行い、認証が成功した後に前記暗号化コンテンツ信号又は暗号化暗号鍵を送信することを特徴とする請求項１記載の通信装置。
【請求項１０】
前記通信部は、ＬＡＮ、ＵＳＢ端子、ｉ．Link端子の少なくとも一つを含むことを特徴とする請求項１記載の通信装置。
【請求項１１】
与えられたコンテンツ信号を暗号鍵で暗号化して暗号化コンテンツ信号を出力し、
予め静的デバイス鍵と動的デバイス鍵とを記憶領域に記憶しておき、前記暗号鍵を前記静的デバイス鍵と前記動的デバイス鍵とで暗号化し、暗号化暗号鍵を出力し、
前記暗号化コンテンツ信号をネットワーク上の所定装置に記録し、前記暗号化暗号鍵をネットワーク上の所定領域に記録するべく通信を行い、
ユーザの再生指示に応じて、前記所定領域から前記暗号化暗号鍵を読み出し、前記静的デバイス鍵及び前記動的デバイス鍵により前記暗号鍵へと復号し、
前記所定装置からネットワークを介して前記暗号化コンテンツ信号を読み出し、前記暗号鍵により前記コンテンツ信号へと復号し、
前記復号されたコンテンツ信号を再生し、
前記暗号鍵を廃止する際に、前記記憶されている動的デバイス鍵を更新することを特徴とする通信方法。
【手続補正書】
【提出日】平成19年9月20日(2007.9.20)
【手続補正１】
【補正対象書類名】明細書
【補正対象項目名】００２２
【補正方法】変更
【補正の内容】
【００２２】
図７（ｃ１）および図７（ｃ２）は、それぞれ、図６（ａ１）および図６（ａ２）と同様に、結果として動きの大小に関係なく３枚を参照する。図７（ｃ２）に示すように動きが小さい場合に、３枚ではなく２枚を参照するには、ピクチャ１０２ｔとピクチャ１０４ｔを参照する。
【手続補正２】
【補正対象書類名】図面
【補正対象項目名】図６
【補正方法】変更
【補正の内容】
【図６】
2006094454.tif 000001
【手続補正３】
【補正対象書類名】図面
【補正対象項目名】図７
【補正方法】変更
【補正の内容】
【図７】
2006094454.tif 000002
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
与えられたコンテンツ信号を暗号鍵で暗号化して暗号化コンテンツ信号を出力する暗号部と、
予め静的デバイス鍵と動的デバイス鍵とを記憶領域に記憶しておき、前記暗号鍵を前記静的デバイス鍵と前記動的デバイス鍵とで暗号化し、暗号化暗号鍵を出力する鍵暗号部と、
前記鍵暗号部が出力した前記暗号化暗号鍵をネットワーク上の所定領域に記録し、更に重複して前記暗号化暗号鍵を、前記暗号部が暗号化した前記暗号化コンテンツ信号と共にネットワーク上の所定装置に記録するべく通信を行う通信部と、
ユーザの再生指示に応じて、前記所定領域から前記暗号化暗号鍵を前記通信部を介して読み出し、前記静的デバイス鍵及び前記動的デバイス鍵により前記暗号鍵へと復号する鍵復号部と、
前記所定装置から前記通信部を介して前記暗号化コンテンツ信号を読み出し、前記鍵復号部が復号した前記暗号鍵により前記コンテンツ信号へと復号する復号部と、
前記復号部が復号した前記コンテンツ信号を再生する再生部と、
前記暗号鍵を廃止する際に、前記記憶されている動的デバイス鍵を更新する鍵更新部とを具備することを特徴とする通信装置。
【請求項２】
前記ネットワーク上の前記所定領域及び前記所定装置に、それぞれ前記暗号化暗号鍵が重複して記録されているかどうかを確認し、一方に記録されていなければ、記録されている方の前記暗号化暗号鍵を読み出して、記録されていない方に記録するべく制御する鍵重複管理部を更に有することを特徴とする請求項１記載の通信装置。
【請求項３】
前記コンテンツ信号を反復して記録するための前記ネットワーク上の所定装置を登録し、前記暗号化暗号鍵を反復して記録するための前記ネットワーク上の所定領域を登録する登録部と、
前記ネットワーク上の前記所定領域及び前記所定装置に、それぞれ前記暗号化暗号鍵が重複して記録されているかどうかを確認し、一方に記録されていなければ、記録されている方の前記暗号化暗号鍵を読み出して、記録されていない方に記録するべく制御する鍵重複管理部とを更に有することを特徴とする請求項１記載の通信装置。
【請求項４】
前記鍵更新部は、前記コンテンツ信号がその後に移動や削除をした際に、前記ネットワーク上の前記暗号化コンテンツ信号を復号不能とすることで再生不能とするべく、前記記憶領域の動的デバイス鍵を新たな動的デバイス鍵に変更し、更に、現時点で再生可能な全ての暗号化コンテンツ信号に応じた暗号化暗号鍵を前記ネットワーク上の所定領域に記録することを特徴とする請求項３記載の通信装置。
【請求項５】
前記静的デバイス鍵と前記動的デバイス鍵とを記憶している前記記憶領域は、不揮発性メモリであることを特徴とする請求項１記載の通信装置。
【請求項６】
放送信号を受けて選局し選局信号を出力するチューナ部と、
前記チューナ部からの選局信号を復調して得られる映像音声信号を前記コンテンツ信号として、前記暗号部に供給する復調部とを更に有することを特徴とする請求項１記載の通信装置。
【請求項７】
前記復調部が出力した前記映像音声信号をＭＰＥＧデコードして得られた映像音声信号を前記コンテンツ信号として前記暗号部に供給する信号処理部を更に有することを特徴とする請求項６記載の通信装置。
【請求項８】
前記通信部は、前記ネットワーク上の前記所定装置及び前記所定領域を提供する装置と認証処理を行い、認証が成功した後に前記暗号化コンテンツ信号又は暗号化暗号鍵を送信することを特徴とする請求項１記載の通信装置。
【請求項９】
前記通信部は、ＬＡＮ、ＵＳＢ端子、ｉ．Link端子の少なくとも一つを含むことを特徴とする請求項１記載の通信装置。
【請求項１０】
与えられたコンテンツ信号を暗号鍵で暗号化して暗号化コンテンツ信号を出力し、
予め静的デバイス鍵と動的デバイス鍵とを記憶領域に記憶しておき、前記暗号鍵を前記静的デバイス鍵と前記動的デバイス鍵とで暗号化し、暗号化暗号鍵を出力し、
前記暗号化暗号鍵をネットワーク上の所定領域に記録し、更に重複して前記暗号化暗号鍵を、前記暗号化コンテンツ信号と共にネットワーク上の所定装置に記録するべく通信を行い、
ユーザの再生指示に応じて、前記所定領域から前記暗号化暗号鍵を読み出し、前記静的デバイス鍵及び前記動的デバイス鍵により前記暗号鍵へと復号し、
前記所定装置から前記ネットワークを介して前記暗号化コンテンツ信号を読み出し、前記復号した暗号鍵により前記コンテンツ信号へと復号し、
前記復号したコンテンツ信号を再生し、
前記暗号鍵を廃止する際に、前記記憶されている動的デバイス鍵を更新することを特徴とする通信方法。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
ネットワークを介して外部の記録装置と通信を行う通信部と、
記録処理に用いる前記ネットワーク上の前記記録装置を登録する登録部と、
記憶領域に格納されたファイルを、前記登録部が登録した前記記録装置に前記通信部及びネットワークを介し転送し記録して、記録開始から終了までの記録時間を測定し、次に、前記記録されたファイルを、前記記録装置から前記通信部を介して前記通信装置へと転送し、転送開始から終了までの転送時間を測定する測定部と、
前記ファイルの容量を前記測定部が測定した前記記録時間で割ることで記録速度を求め、更に、前記ファイルの容量を前記測定部が測定した前記転送時間で割ることで再生速度を求め、これらの記録速度及び再生速度に基づいて、複数の録画モード毎に、前記記録装置が記録しながら再生する追いかけ再生の可否を表示する表示信号を生成する制御部と、
を具備することを特徴とする通信装置。
【請求項２】
放送信号を受けて選局し選局信号を出力するチューナ部と、
前記チューナ部からの選局信号を復調して、映像音声信号を出力する復調部と、
前記復調部からの映像音声信号を前記登録部で登録した前記外部の記録装置に前記通信部を介して送信するべく制御する制御部とを更に有することを特徴とする請求項１記載の通信装置。
【請求項３】
前記復調部からの映像音声信号及び前記制御部からの前記表示信号に応じた映像を表示する表示部を更に有することを特徴とする請求項１記載の通信装置。
【請求項４】
前記制御部が扱う複数の録画モードは、ＨＤ，ＳＤ，ＸＰ，ＳＰ，ＬＰ，ＥＰの少なくとも一つを含むことを特徴とする請求項１記載の通信装置。
【請求項５】
前記制御部が扱う複数の録画モードは、クイックメニュに表示されるＸＰ，ＳＰ，ＬＰ，ＥＰであることを特徴とする請求項１記載の通信装置。
【請求項６】
前記制御部の前記表示信号に応じた表示画面において、前記録画モードの一つでの記録ができないと判断したときは、その録画モードを示すアイコンの色を退色させることで、記録不能であることを示すことを特徴とする請求項１記載の通信装置。
【請求項７】
前記制御部の前記表示信号に応じた表示画面において、前記記録速度を前記録画モードのアイコンと一緒に表示することを特徴とする請求項１記載の通信装置。
【請求項８】
前記登録部は、前記ネットワーク上の複数の前記外部の記録装置を画面上に表示し、ユーザの操作に応じて、前記複数の外部の記録装置から一つの記録装置を特定することを特徴とする請求項１記載の通信装置。
【請求項９】
前記制御部は、前記録画モード毎の録画の可否と、前記再生モード毎の再生の可否とを同時に表示する表示信号を生成することを特徴とする請求項８記載の通信装置。
【請求項１０】
前記制御部の前記表示信号に応じた表示画面において、前記再生速度を前記再生モードのアイコンと一緒に表示することを特徴とする請求項８記載の通信装置。
【請求項１１】
ネットワーク上の記録処理に用いる記録装置を登録し、
記憶領域に格納されたファイルを、前記登録した前記記録装置に前記ネットワークを介して転送し記録して、記録開始から終了までの記録時間を測定し、次に、前記記録されたファイルを、前記記録装置から前記ネットワークを介して前記通信装置へと転送し、転送開始から終了までの転送時間を測定し、
前記ファイルの容量を前記測定した前記記録時間で割ることで記録速度を求め、更に、前記ファイルの容量を前記測定した前記転送時間で割ることで再生速度を求め、これらの記録速度及び再生速度に基づいて、複数の録画モード毎に、前記記録装置が記録しながら再生する追いかけ再生の可否を表示する表示信号を生成することを特徴とする通信方法。
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
送信時間と送信チャンネルとを含む複数の番組の情報をディスプレイ上に表示するための方法であって、
（ａ）前記ディスプレイ上に表示する前記送信時間の範囲を定めるステップと、
（ｂ）前記範囲と、前記ディスプレイ上に表示する番組の情報送信時間とを比較し、前記番組の情報の送信時間が前記範囲に入っている場合には、前記番組の情報を、前記ディスプレイ上で、楕円の放射状線で設定された領域に表示するステップと、
（ｃ）視聴者コマンドに応じて、前記楕円が回転したように、前記放射状線で設定された領域に表示された前記番組の情報を、隣の放射状線で設定された領域に表示された別の番組の情報で置き換えるステップと
を含むことを特徴とする表示方法。
【請求項２】
前記送信チャンネルが同じである番組の情報が、前記楕円の２本の放射状線により設定された領域に表示されることを特徴とする請求項１に記載の表示方法。
【請求項３】
前記楕円は、前記２本の放射状線を含む複数の放射状線により複数の領域に区分され、
前記複数の領域の各領域には、異なる複数の送信チャンネルの番組の情報が表示され、
選択された送信チャンネルの番組の情報は、前記複数の領域の内の予め指定された領域に表示され、
視聴者による送信チャンネルの変更操作に基づくコマンドに応じて、前記変更後に選択された送信チャンネルの番組の情報が前記予め指定された領域に表示されるように、前記予め指定された領域に表示された送信チャンネルの番組の情報を、隣接する領域に表示された送信チャンネルの番組の情報に順に置き換えることを特徴とする請求項２に記載の表示方法。
【請求項４】
前記楕円は、内側楕円及び前記内側楕円と同心かつ同じ配向の外側楕円とによって構成され、前記外側楕円は現在時刻を表し、前記内側楕円は未来時刻を表すことを特徴とする請求項１乃至３のいずれか１項に記載の表示方法。
【請求項５】
前記内側楕円の内部領域には、前記選択された送信チャンネルの番組のプレビュー映像と前記選択された送信チャンネルのチャンネル番号の少なくとも一方が表示されることを特徴とする請求項４に記載の表示方法。
【請求項６】
コンピュータに、請求項１乃至５のいずれか１項に記載の表示方法の各工程を実行させるためのプログラム。
【請求項７】
送信時間と送信チャンネルとを含む複数の番組の情報をディスプレイ上に表示させるための画像処理装置であって、
前記ディスプレイ上に表示する送信時間の範囲を定める設定手段と、
前記範囲と、前記ディスプレイ上に表示する番組の情報の送信時間とを比較し、前記番組の情報の送信時間が前記範囲に入っている場合には、前記番組の情報を、前記ディスプレイ上で、楕円の放射状線で設定された領域に表示させる表示制御手段と、
視聴者コマンドに応じて、前記楕円が回転したように、前記放射状線で設定された領域に表示された前記番組の情報を、隣の放射状線で設定された領域に表示された別の番組の情報で置き換える処理手段と
を含むことを特徴とする画像処理装置。
【手続補正２】
【補正対象書類名】明細書
【補正対象項目名】発明の名称
【補正方法】変更
【補正の内容】
【発明の名称】表示方法及び画像処理装置
【手続補正３】
【補正対象書類名】明細書
【補正対象項目名】０００６
【補正方法】変更
【補正の内容】
【０００６】
本発明の一態様によれば、送信時間と送信チャンネルとを含む複数の番組の情報をディスプレイ上に表示するための方法が開示され、この方法は、
【手続補正４】
【補正対象書類名】明細書
【補正対象項目名】０００７
【補正方法】変更
【補正の内容】
【０００７】
（ａ）前記ディスプレイ上に表示する前記送信時間の範囲を定めるステップと、（ｂ）前記範囲と、前記ディスプレイ上に表示する番組の情報送信時間とを比較し、前記番組の情報の送信時間が前記範囲に入っている場合には、前記番組の情報を、前記ディスプレイ上で、楕円の放射状線で設定された領域に表示するステップと、（ｃ）視聴者コマンドに応じて、前記楕円が回転したように、前記放射状線で設定された領域に表示された前記番組の情報を、隣の放射状線で設定された領域に表示された別の番組の情報で置き換えるステップとを含む。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の別の様態によれば、前記送信チャンネルが同じである番組の情報が、前記楕円の２本の放射状線により設定された領域に表示される。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正書】
【提出日】平成19年4月3日(2007.4.3)
【手続補正１】
【補正対象書類名】特許請求の範囲
【補正対象項目名】請求項２
【補正方法】変更
【補正の内容】
【請求項２】
前記潤滑剤は、１００重量部中、微粉末シリカが０．１〜２０重量部含まれてなる請求項１記載のシリンジ。
【手続補正２】
【補正対象書類名】明細書
【補正対象項目名】０００５
【補正方法】変更
【補正の内容】
【０００５】
【特許文献１】特開平５−１３１０２９号公報
【特許文献２】特開２００１−２８９３２６号公報
【特許文献３】特開２００２−１７２１６６号公報
【特許文献４】特表２００２−５０６６９４号公報
【特許文献５】特開２００４−１６２７６１号公報
【特許文献６】特開２００４−５７８１９号公報
【手続補正３】
【補正対象書類名】明細書
【補正対象項目名】００１５
【補正方法】変更
【補正の内容】
【００１５】
以下、本発明における潤滑剤について、さらに詳細に説明する。本発明における潤滑剤１００重量部中に含まれる微粉末シリカは、０．１〜２０重量部、より好ましくは１〜１０重量部である。微粉末シリカの配合量が０．１重量部より少なくなると、界面活性作用を有する薬剤を含有する薬液に接触した場合、潤滑剤表面に油滴が発生し、ガスケットの摺動抵抗が上昇する。また、微粉末シリカの配合量が２０重量部を超えると、潤滑剤の粘度が高すぎてガスケットの摺動抵抗を十分に低下させることができなくなるおそれがある。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
遊技機の遊技状態を制御する遊技制御手段と、
前記遊技制御手段により制御された遊技状態に応じて、視覚情報を生成する視覚情報生成手段とを有する遊技機であって、
前記視覚情報生成手段に基づいて生成された視覚情報を、遊技機の外部に位置する被投射体に対して、投射した光による像によって表示する表示手段を有することを特徴とする遊技機。
【請求項２】
表示手段は、レーザー発振器と、レーザーの照射方向を連続して変化させる照射方向制御手段を備え、被投射体に照射されたレーザーの照射点の移動軌跡により視覚情報を表示するものである請求項１に記載の遊技機。
【請求項３】
前記表示手段によって、表示される視覚情報は、動的な像である請求項１又は２に記載の遊技機。
【請求項４】
レーザーの照射方向が遊技者に向けられており、被投射体は遊技者である請求項１〜３のいずれか１に記載の遊技機。
【請求項５】
レーザーの照射方向が床又は天井に向けられており、被投射体は床又は天井である請求項１〜３のいずれか１に記載の遊技機。
【手続補正２】
【補正対象書類名】明細書
【補正対象項目名】０００６
【補正方法】変更
【補正の内容】
【０００６】
以上のような問題を解決する本発明は、以下のような構成を有する。
（１）  所定の始動条件の成立に基づいて、遊技状態を制御する遊技制御手段と、
前記遊技制御手段により制御された遊技状態に応じて、視覚情報を生成する視覚情報生成手段とを有する遊技機であって、
前記視覚情報生成手段に基づいて生成された視覚情報を、遊技機の外部に位置する被投射体に対して、投射した光による像によって表示する表示手段を有することを特徴とする遊技機。
【手続補正３】
【補正対象書類名】明細書
【補正対象項目名】０００７
【補正方法】変更
【補正の内容】
【０００７】
（２）  表示手段は、レーザー発振器と、レーザーの照射方向を連続して変化させる照射方向制御手段を備え、被投射体に照射されたレーザーの照射点の移動軌跡により視覚情報を表示するものである上記（１）に記載の遊技機。
【手続補正４】
【補正対象書類名】明細書
【補正対象項目名】０００９
【補正方法】変更
【補正の内容】
【０００９】
（４）  レーザーの照射方向が遊技者に向けられており、被投射体は遊技者である上記（１）〜（３）のいずれか１に記載の遊技機。
【手続補正５】
【補正対象書類名】明細書
【補正対象項目名】００１０
【補正方法】変更
【補正の内容】
【００１０】
（５）  レーザーの照射方向が床又は天井に向けられており、被投射体は床又は天井である上記（１）〜（３）のいずれか１に記載の遊技機。
【手続補正６】
【補正対象書類名】明細書
【補正対象項目名】００１３
【補正方法】変更
【補正の内容】
【００１３】
請求項３に記載の発明によると、視覚情報を動的な像とすることにより、演出効果をさらに向上させることができる。
請求項４に記載の発明によると、被投射体を遊技者とすることによって、遊技者自体が演出の中に組み込まれることとなり、従来と全く異なる演出感覚を得ることができる。
請求項５に記載の発明によると、被投射体を、遊技機が設置されている遊技場の床又は天井とすることによって、表示領域が広がり演出効果を向上させることができる。
【手続補正７】
【補正対象書類名】明細書
【補正対象項目名】００３０
【補正方法】変更
【補正の内容】
【００３０】
図５に示されているように、レーザー光が被投射体の表面に照射されると、その照射点がレーザー光の色に発色する。レーザー光の照射方向を連続して高速移動させると、この発色している照射点が移動し、残像現象によって、照射点の移動軌跡が線状に視認できる。この移動軌跡を所望の図形や、文字とすることにより、視覚情報として表示することが可能となる。オプティカルスキャナ５３は、移動軌跡が所望の視覚情報となるように、レーザー光の照射方向を制御する。図５では、「大当り」という文字情報が表示される。これは、レーザー照射点の移動軌跡が、「大」「当」「り」の文字の輪郭６１となるように、レーザー光の向きの移動が制御されている。このように、レーザー光を用い、その移動軌跡で像を表示する構成とすれば、光線を用いる性質上、フォーカスを考慮する必要がなく（被投射部との距離を考慮する必要がなく）高輝度の画像を自由に投影面に描くことができる。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
遊技機の遊技状態を制御する遊技制御手段と、
前記遊技制御手段により制御された遊技状態に応じて、遊技に関連する視覚情報を遊技
機外へ投射する遊技機であって、
前記遊技機は、前記遊技制御手段から供給される演出制御信号に基づいて視覚情報を表
示する視覚情報表示手段を有し、
該視覚情報表示手段は、予め視覚情報が担持された透過面とする透過媒体と、
該透過媒体へ向けて光を投射する光源と、
前記透過媒体を透過した光を、遊技機外部の被投射体に結像させる結像手段とを有する
ことを特徴とする遊技機。
【請求項２】
透過媒体は、透光部と、遮光部とを有するフィルムである請求項１に記載の遊技機。
【請求項３】
前記視覚情報表示手段は、前記透過媒体を複数有し、演出制御信号に応じて、前記透過媒
体を切り替える切替手段を有する請求項１又は２に記載の遊技機。
【請求項４】
前記被投射体は、遊技者である請求項１〜３のいずれか１に記載の遊技機。
【請求項５】
前記被投射体は、床又は天井である請求項１〜３のいずれか１に記載の遊技機。
【手続補正２】
【補正対象書類名】明細書
【補正対象項目名】０００６
【補正方法】変更
【補正の内容】
【０００６】
以上のような問題を解決する本発明は、以下のような構成を有する。  
（１）  遊技機の遊技状態を制御する遊技制御手段と、
前記遊技制御手段により制御された遊技状態に応じて、遊技に関連する視覚情報を遊技
機外へ投射する遊技機であって、
前記遊技機は、前記遊技制御手段から供給される演出制御信号に基づいて視覚情報を表
示する視覚情報表示手段を有し、
該視覚情報表示手段は、予め視覚情報が担持された透過面とする透過媒体と、
該透過媒体へ向けて光を投射する光源と、
前記透過媒体を透過した光を、遊技機外部の被投射体に結像させる結像手段とを有する
ことを特徴とする遊技機。
【手続補正３】
【補正対象書類名】明細書
【補正対象項目名】０００９
【補正方法】変更
【補正の内容】
【０００９】
（４）  前記被投射体は、遊技者である上記（１）〜（３）のいずれか１に記載の遊技機。
【手続補正４】
【補正対象書類名】明細書
【補正対象項目名】００１０
【補正方法】変更
【補正の内容】
【００１０】
（５）  前記被投射体は、床又は天井である上記（１）〜（３）のいずれか１に記載の遊技機。
【手続補正５】
【補正対象書類名】明細書
【補正対象項目名】００１３
【補正方法】変更
【補正の内容】
【００１３】
請求項４に記載の発明によると、被投射体を遊技者とすることによって、遊技者自体が演出の中に組み込まれることとなり、従来と全く異なる演出感覚を得ることができる。
請求項５に記載の発明によると、被投射体を、遊技機が設置されている遊技場の床又は天井とすることによって、表示領域が広がり演出効果を向上させることができる。
【手続補正６】
【補正対象書類名】明細書
【補正対象項目名】００３０
【補正方法】変更
【補正の内容】
【００３０】
図６に示されているように、投射光が被投射体の表面に投射されると、その投射光が投射され得る領域である表示面６０に、フィルム５３に担持された視覚情報（大当り）６１が結像する。この像を動画にする場合には、連続して変化する像が、それぞれ表示されているフィルムを多数用意し、これらのフィルムを連続して光源５２の前に移動させることにより、表示面６０の像を動画とすることができる。
【手続補正７】
【補正対象書類名】明細書
【補正対象項目名】００４６
【補正方法】変更
【補正の内容】
【００４６】
結像の大きさは、光学的に拡大できるので、フィルム５３ａ〜５３ｃの大きさは、小型にすることが可能となり、遊技機内に容易に格納させることができる。また、結像手段に加えて、結像される象を拡大又は縮小するズーム機構を設け、被投射体に応じて、像の大きさを変更する構成としてもよい。
【手続補正８】
【補正対象書類名】明細書
【補正対象項目名】００４９
【補正方法】変更
【補正の内容】
【００４９】
【図１】本スロットマシンの外部構造を示した全体正面図である。
【図２】貸出操作表示部の構成を示す部分拡大斜視図である。
【図３】本スロットマシンの内部構造を示した全体正面図である。
【図４】投射表示装置の構成を示す模式図である。
【図５】透過媒体であるフィルムの構成を示す平面図である。
【図６】被投射体に画像が投射された状態を示す斜視図である。
【図７】本スロットマシンに設けられている制御システムの構成を示したブロック図である。
【図８】投影表示装置の表示制御回路の構成を示すブロック図である。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
遊技機の遊技状態を制御する遊技制御手段と、
前記遊技制御手段により制御された遊技状態に応じて、遊技に関連する視覚情報を遊技機外へ表示する遊技機であって、
前記遊技機は、前記遊技制御手段からの演出制御信号に基づいて視覚情報を生成する視覚情報生成手段と、
遊技機内部に設けられ、前記視覚情報生成手段に基づいて生成された視覚情報を表示する表示面を反射面とする反射媒体と、
該反射媒体へ向けて光を投射する光源と、
前記反射媒体から反射した光を、遊技機外部の被投射体に結像させる結像手段とを有することを特徴とする遊技機。
【請求項２】
表示面は、ディスプレイ画面である請求項１に記載の遊技機。
【請求項３】
視覚情報は、遊技状態に応じた動画である請求項２に記載の遊技機。
【請求項４】
前記被投射体は、遊技者である請求項１〜３のいずれか１に記載の遊技機。
【請求項５】
前記被投射体は、床又は天井である請求項１〜３のいずれか１に記載の遊技機。
【手続補正２】
【補正対象書類名】明細書
【補正対象項目名】０００６
【補正方法】変更
【補正の内容】
【０００６】
以上のような問題を解決する本発明は、以下のような構成を有する。
（１）  遊技機の遊技状態を制御する遊技制御手段と、
前記遊技制御手段により制御された遊技状態に応じて、遊技に関連する視覚情報を遊技
機外へ表示する遊技機であって、
前記遊技機は、前記遊技制御手段からの演出制御信号に基づいて視覚情報を生成する視
覚情報生成手段と、
遊技機内部に設けられ、前記視覚情報生成手段に基づいて生成された視覚情報を表示す
る表示面を反射面とする反射媒体と、
該反射媒体へ向けて光を投射する光源と、
前記反射媒体から反射した光を、遊技機外部の被投射体に結像させる結像手段とを有することを特徴とする遊技機。
【手続補正３】
【補正対象書類名】明細書
【補正対象項目名】０００９
【補正方法】変更
【補正の内容】
【０００９】
（４）  前記被投射体は、遊技者である上記（１）〜（３）のいずれか１に記載の遊技機。
【手続補正４】
【補正対象書類名】明細書
【補正対象項目名】００１０
【補正方法】変更
【補正の内容】
【００１０】
（５）  前記被投射体は、床又は天井である上記（１）〜（３）のいずれか１に記載の遊技機。
【手続補正５】
【補正対象書類名】明細書
【補正対象項目名】００１３
【補正方法】変更
【補正の内容】
【００１３】
請求項２に記載の発明によると、表示面をディスプレイ画面とすれば、ディスプレイ画面に任意の像を表示することで、被投射体にディスプレイ画面と同じ画像を表示できる。このため、ディスプレイ画面で表示できる画像と同じ画像を、任意の外部位置に表示できるので、演出内容の幅が広がり、より高い演出効果を発揮させることができる。
請求項３に記載の発明によると、視覚情報を動的な像とすることにより、演出効果をさらに向上させることができる。
【手続補正６】
【補正対象書類名】明細書
【補正対象項目名】００１４
【補正方法】変更
【補正の内容】
【００１４】
請求項４に記載の発明によると、被投射体を遊技者とすることによって、遊技者自体が演出の中に組み込まれることとなり、従来と全く異なる演出感覚を得ることができる。
請求項５に記載の発明によると、被投射体を、遊技機が設置されている遊技場の床又は天井とすることによって、表示領域が広がり演出効果を向上させることができる。
【手続補正７】
【補正対象書類名】明細書
【補正対象項目名】００３１
【補正方法】変更
【補正の内容】
【００３１】
図５に示されているように、投射光が被投射体の表面に投射されると、その投射部分に表示面に表示された画像が結像する。表示面を構成するディスプレイ画面は、液晶画面であり、予め用意されている演出画像が液晶画面に表示され、その演出画像が遊技者の身体に結像する。従って、液晶画面が動画であれば、結像も動画となり、あたかも遊技者の身体に液晶画面が設けられた如く、画像が表示される。液晶画面に表示される視覚情報は、動画の他、静止画を表示してもよく、図形や文字を表示し、これを被投射体に結像させてもよい。図５では、投射される領域が矩形表示部６０である場合を示している。
【手続補正８】
【補正対象書類名】明細書
【補正対象項目名】００４７
【補正方法】変更
【補正の内容】
【００４７】
結像の大きさは、光学的に拡大できるので、表示面を構成する画像ディスプレイ５３は、小型にすることが可能となり、遊技機内に容易に格納させることができる。また、結像手段に加えて、結像される象を拡大又は縮小するズーム機構を設け、被投射体に応じて、像の大きさを変更する構成としてもよい。
【手続補正９】
【補正対象書類名】明細書
【補正対象項目名】００５１
【補正方法】変更
【補正の内容】
【００５１】
【図１】本スロットマシンの外部構造を示した全体正面図である。
【図２】貸出操作表示部の構成を示す部分拡大斜視図である。
【図３】本スロットマシンの内部構造を示した全体正面図である。
【図４】投射表示装置の構成を示す模式図である。
【図５】被投射体に画像が投射された状態を示す斜視図である。
【図６】本スロットマシンに設けられている制御システムの構成を示したブロック図である。
【図７】投影表示装置の表示制御回路の構成を示すブロック図である。
【手続補正書】
【提出日】平成19年3月19日(2007.3.19)
【手続補正１】
【補正対象書類名】特許請求の範囲
【補正対象項目名】請求項１３
【補正方法】変更
【補正の内容】
【請求項１３】
前記種類の異なった複数の子供の成長の度合いを示す指標が、年齢及び身長であることを特徴とする請求項９乃至１２のうちいずれか１項に記載の子供用判定機能付き体組成計。
【手続補正２】
【補正対象書類名】明細書
【補正対象項目名】００２４
【補正方法】変更
【補正の内容】
【００２４】
また、この観点の別の形態によると、前記種類の異なった複数の子供の成長の度合いを示す指標が、年齢及び身長である。
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
遊技球が入球可能な入球手段と、前記入球手段への入球を検出する検出手段と、前記検出手段での入球検出に基づいて、遊技者にとって有利な特定遊技状態の発生の有無についての抽選をする抽選手段と、前記抽選手段での抽選結果を示唆表示する表示手段と、始動条件が成立することに起因して識別情報を前記表示手段に変動表示し、その変動表示結果として、前記表示手段に定められた複数の停止領域のいずれかに識別情報を停止表示する表示制御手段と、を備え、
前記抽選手段による抽選結果が所定の結果となった場合に前記表示手段での識別情報の変動表示を所定の識別情報の組み合わせを含む特定表示態様で停止表示させ、前記特定遊技状態ヘ移行させる遊技機において、
前記表示制御手段は、
前記識別情報変動表示演出中に行われる表示演出であって、識別情報が特定表示態様で停止表示することを遊技者にとって期待させるような示唆表示演出の実行条件成立を決定する示唆条件決定手段と、
前記示唆条件決定手段での示唆条件成立の場合に、前記識別情報変動表示演出中に識別情報とは別の示唆表示情報を前記表示手段に発生表示させる示唆表示情報発生表示制御手段と、
前記示唆表示演出における示唆表示情報に紛れて新たな識別情報を発生させる発生条件成立を決定する発生条件決定手段と、
前記発生条件決定手段での発生条件成立の場合に、前記示唆表示演出における示唆表示情報に紛れて新たな識別情報を前記表示手段に発生表示させる新識別情報発生表示制御手段と、
前記新識別情報発生表示制御手段で発生表示された新識別情報を、前記表示手段での所定の停止位置に変動停止表示する変動停止表示制御手段と、
を備えていることを特徴とする遊技機。
【請求項２】
請求項１に記載の遊技機において、
前記変動停止表示制御手段は、
前記新識別情報を、その発生から停止表示までの期間内の少なくとも一部の期間において、前記表示手段の表示領域内で予測困難な移動態様で移動させる不測移動表示制御手段
を備えていることを特徴とする遊技機。
【請求項３】
請求項１または請求項２に記載の遊技機において、
前記新識別情報発生表示制御手段は、
識別情報の変動表示演出の途中に行われる前記示唆表示演出における示唆表示情報に紛れて発生した新識別情報を当該識別情報変動表示演出中に視認可能な状態から視認不可能な状態に変移させ、当該識別情報の変動表示停止の際に前記新識別情報を視認可能な状態で前記表示手段に停止表示する停止後示唆制御手段
を備えていることを特徴とする遊技機。
【請求項４】
請求項１から請求項３のいずれか一つに記載の遊技機において、
前記変動停止表示制御手段は、
前記新識別情報を、識別情報が視認困難あるいは視認し辛い変動表示の中に紛れ込ませる混入表示手段
を備えていることを特徴とする遊技機。
【請求項５】
請求項１から請求項４のいずれか一つに記載の遊技機において、
前記変動停止表示制御手段は、
前記新識別情報の停止表示を、当該新識別情報が生成された識別情報変動表示よりも後に行われる次回以降の識別情報変動表示のときにすることを決定する決定手段と、
前記決定手段での決定に基づいて、前記新識別情報を、当該新識別情報が生成された識別情報変動表示よりも後に行われる次回以降の識別情報変動表示のときに停止表示する持ち越し停止表示制御手段と、
を備えていることを特徴とする遊技機。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
巨核球から血小板への分化を誘導および／または促進する因子の同定方法であって、以下：
（１）候補因子をＵＴ−７／ＴＰＯ細胞に添加する工程、および
（２）ＵＴ−７／ＴＰＯ細胞が血小板に分化したか否かを判定する工程
を含む方法。
【請求項２】
巨核球から巨核球胞体突起（ｐｒｏｐｌａｔｅｌｅｔ）への分化を誘導および／または促進する因子の同定方法であって、以下：
（１）候補因子をＵＴ−７／ＴＰＯ細胞に添加する工程、および
（２）ＵＴ−７／ＴＰＯ細胞が巨核球胞体突起（ｐｒｏｐｌａｔｅｌｅｔ）に分化したか否かを判定する工程
を含む方法。
【請求項３】
巨核球から血小板への分化を阻害および／または抑制する因子の同定方法であって、以下：
（１）フィブロネクチンおよび候補因子をＵＴ−７／ＴＰＯ細胞の培養液中に添加する工程、
（２）ＵＴ−７／ＴＰＯ細胞から血小板への分化が阻害および／または抑制されたか否かを判定する工程
を包含する方法。
【請求項４】
巨核球から巨核球胞体突起（ｐｒｏｐｌａｔｅｌｅｔ）への分化を阻害および／または抑制する因子の同定方法であって、以下：
（１）フィブロネクチンおよび候補因子をＵＴ−７／ＴＰＯ細胞の培養液中に添加する工程、
（２）ＵＴ−７／ＴＰＯ細胞から巨核球胞体突起（ｐｒｏｐｌａｔｅｌｅｔ）への分化が阻害および／または抑制されたか否かを判定する工程
を包含する方法。